(57)【要約】    【課題】  排水流量を検出する流量センサを低温部に配置できるようにして、測定精度向上、コスト低減を図る。    【解決手段】  排水要否判定部２２は、貯湯タンク１内の湯水を排水する必要があるかを否かを判定する。排水制御部２３は、排水が必要であると判定されたときに、排水処理として、給湯経路開閉弁５の閉操作による貯湯タンク１からの給湯の禁止、排水経路開閉弁１３の開操作による貯湯タンク１内の湯水の排水、及び、排水に伴う貯湯タンク１内への給水を行う。タンク給水経路１０には流量センサ１８が設けられる。排水終了判定部２４は、排水処理の開始後の流量センサ１８による検出給水流量の積算値がタンク容量相当の所定値以上になったときに、排水処理を終了させる。【選択図】  図１
2015114032.tif 000002
【特許請求の範囲】
【請求項１】
タンク内部又はタンク外部にて加熱された湯水を貯留する貯湯タンクと、
前記貯湯タンク内の湯水を出湯口に供給する給湯経路と、
前記給湯経路の開閉を行う給湯経路開閉弁と、
前記給湯経路の前記給湯経路開閉弁上流から分岐して、前記貯湯タンク内の湯水を排水可能な排水経路と、
前記排水経路の開閉を行う排水経路開閉弁と、
上水の給水口と接続され、前記貯湯タンクからの湯水の取り出しに伴って前記貯湯タンクに上水を供給するタンク給水経路と、
前記タンク給水経路に設けられ、前記貯湯タンクへ給水される上水の流量を検出するタンク給水流量センサと、
前記タンク給水流量センサにより検出した流量を積算する給水流量積算部と、
前記貯湯タンク内の湯水を排水する必要があるか否かを判定する排水要否判定部と、
前記排水要否判定部により排水が必要であると判定されたときに、前記貯湯タンク内の湯水の排水処理として、前記給湯経路開閉弁の閉操作、前記排水経路開閉弁の開操作、及び、排水に伴う前記貯湯タンク内への給水を行う、排水制御部と、
を含んで構成され、
前記排水制御部は、前記排水処理の開始後の前記給水流量積算部による給水流量積算値が所定値以上になったときに、前記排水処理を終了させる排水終了判定部を有する、貯湯式給湯システム。
【請求項２】
前記給湯経路における前記給湯経路開閉弁の下流側に設けられ、前記貯湯タンクから取り出された湯水に上水を混合して湯水を要求温度に調整する混合部と、
前記タンク給水経路から分岐して前記混合部に上水を供給する混合部給水経路と、
を更に含んで構成され、
前記タンク給水流量センサは、前記タンク給水経路上で、前記混合部給水経路への分岐部より下流側に配置される、請求項１記載の貯湯式給湯システム。
【請求項３】
前記タンク給水経路から分岐し、前記貯湯タンク及び前記混合部をバイパスして上水を前記出湯口へ供給可能なバイパス給水経路と、
前記バイパス給水経路の開閉を行うバイパス開閉弁と、
を更に含んで構成され、
前記タンク給水流量センサは、前記タンク給水経路上で、前記混合部給水経路への分岐部、及び、前記バイパス給水経路への分岐部より、下流側に配置される、請求項２記載の貯湯式給湯システム。
【請求項４】
前記排水要否判定部は、前記排水処理の実行時以外での前記給水流量積算部による給水流量積算値に基づいて、所定時間内における前記貯湯タンクからの湯水取り出し量を算出し、これが所定値未満の場合に、排水が必要と判定する、請求項１〜請求項３のいずれか１つに記載の貯湯式給湯システム。
【請求項５】
前記出湯口は、出湯有無を検知する出湯センサを備え、
前記排水要否判定部は、前記出湯センサが所定時間以上継続して出湯を検知しないときに、排水が必要と判定する、請求項１〜請求項３のいずれか１つに記載の貯湯式給湯システム。
【請求項６】
前記出湯口は、出湯有無を検知する出湯センサを備え、
前記排水制御部は、前記排水要否判定部により排水が必要であると判定されたときに、前記出湯センサが出湯を検知するのを待って、排水処理を開始する、請求項１〜請求項５のいずれか１つに記載の貯湯式給湯システム。
【発明の詳細な説明】
【技術分野】
【０００１】
本発明は、発電熱や太陽熱などを利用して得た湯水を貯湯タンクに貯え、必要時に給湯する貯湯式給湯システムに関し、特に貯湯タンク内の湯水の使用状況に応じて貯湯タンク内の湯水を入れ替える技術に関する。
【背景技術】
【０００２】
貯湯式給湯システムは、一般に、タンク内又はタンク外で加熱された湯水を貯留する貯湯タンクと、貯湯タンク内の湯水を出湯口に供給する給湯経路と、上水の給水口と接続され、貯湯タンクからの湯水の取り出しに伴って貯湯タンクに上水を供給するタンク給水経路と、を備えている。
【０００３】
ここにおいて、特許文献１に記載のシステムでは、貯湯タンク（貯湯槽）からの給湯経路に開閉弁が設けられ、給湯経路の開閉弁上流から分岐して、貯湯タンク内の湯水を排水可能な排水経路が設けられる。排水経路にも開閉弁が設けられる。そして、貯湯タンクからの給湯経路には、給湯流量及び排水流量を検出可能な流量センサが設けられる。
【０００４】
特許文献１に記載のシステムでは、前記流量センサにより検出される流量を積算していて、例えば４８時間以内の流量積算値がタンク容量相当値に満たない場合（すなわち、４８時間以内に貯湯タンク内の湯水の全量が入れ替わっていない場合）は、給湯経路の開閉弁を閉じて、貯湯タンク内の湯水の使用を禁止する一方、排水経路の開閉弁を開いて、排水を開始する。排水開始と同時に上水が貯湯タンク内に送り込まれる。
そして、排水中、前記流量センサにより検出される流量を積算していて、排水中の流量積算値がタンク容量相当値に達した場合に、貯湯タンク内の湯水の全量入れ替えが終了したとみなして、排水処理を終了するようにしている。
【先行技術文献】
【特許文献】
【０００５】
【特許文献１】特許第４２８７８３８号公報
【発明の概要】
【発明が解決しようとする課題】
【０００６】
しかしながら、特許文献１に記載のシステムでは、貯湯タンク内の湯水の入れ替わりの判定を貯湯タンクからの給湯経路に設けた流量センサの出力に基づいて行っているため、次のような問題点がある。
流量センサは、流体の温度の影響を受けやすく、温度が高いほど測定誤差が大きくなる。
また、給湯経路に流量センサを設置する場合には、耐久性及び耐熱性のあるセンサを使用する必要があるため、部品コストが大となる。
【０００７】
本発明は、このような従来の問題点に鑑み、排水流量を検出する流量センサを低温部に配置できるようにして、測定精度向上、コスト低減を図ることを課題とする。
【課題を解決するための手段】
【０００８】
上記の課題を解決するために、本発明に係る貯湯式給湯システムは、
タンク内部又はタンク外部にて加熱された湯水を貯留する貯湯タンクと、
前記貯湯タンク内の湯水を出湯口に供給する給湯経路と、
前記給湯経路の開閉を行う給湯経路開閉弁と、
前記給湯経路の前記給湯経路開閉弁上流から分岐して、前記貯湯タンク内の湯水を排水可能な排水経路と、
前記排水経路の開閉を行う排水経路開閉弁と、
上水の給水口と接続され、前記貯湯タンクからの湯水の取り出しに伴って前記貯湯タンクに上水を供給するタンク給水経路と、
前記タンク給水経路に設けられ、前記貯湯タンクへ給水される上水の流量を検出するタンク給水流量センサと、
前記タンク給水流量センサにより検出した流量を積算する給水流量積算部と、
前記貯湯タンク内の湯水を排水する必要があるか否かを判定する排水要否判定部と、
前記排水要否判定部により排水が必要であると判定されたときに、前記貯湯タンク内の湯水の排水処理として、前記給湯経路開閉弁の閉操作、前記排水経路開閉弁の開操作、及び、排水に伴う前記貯湯タンク内への給水を行う、排水制御部と、
を含んで構成される。
そして、前記排水制御部は、前記排水処理の開始後の前記給水流量積算部による給水流量積算値が所定値以上になったときに、前記排水処理を終了させる排水終了判定部を有する構成とする。
【発明の効果】
【０００９】
本発明によれば、貯湯タンクからの排水流量は貯湯タンクへの給水流量と等しくなることから、給水流量を検出して、排水処理の終了判定を行う。
これにより、排水流量を検出する流量センサを高温となる排水経路に設ける必要がなくなり、温度の低いタンク給水経路への設置で済む。
【図面の簡単な説明】
【００１０】
【図１】本発明の一実施形態を示す貯湯式給湯システムの概略図
【図２】排水処理の制御例１を示すフローチャート
【図３】排水処理の制御例２を示すフローチャート
【図４】排水処理の制御例３を示すフローチャート
【発明を実施するための形態】
【００１１】
以下、本発明の実施の形態について、詳細に説明する。
図１は本発明の一実施形態を示す貯湯式給湯システムの概略図である。
【００１２】
貯湯タンク１は、耐圧容器により形成されており、タンク内又はタンク外にて加熱された湯水を貯留する。
例えば、コジェネレーションシステムでは、発電装置の発電に伴って発生する熱を熱媒に回収し、この熱媒を循環させ、貯湯タンク１内に構成した熱交換器２により、貯湯タンク１内の湯水を加熱する。尚、熱媒を用いず、貯湯タンク１内の湯水を発電装置の熱発生部との間で循環させて、熱回収を行い、温度上昇した湯水を貯湯タンク１内へ戻して貯留することもある。発電装置としては、例えば、燃料電池、エンジン発電機などが挙げられる。
また、太陽熱回収システムでは、太陽熱により湯水を加熱して、貯湯タンク１に貯留する。
【００１３】
貯湯タンク１の上部には、貯湯タンク１内の湯水を取り出すためのタンク出口部３が形成され、タンク出口部３からは、給湯経路４（４ａ、４ｂ）が導出されている。給湯経路４（４ａ、４ｂ）は、給湯経路開閉弁５、及び、混合部（ミキシングユニット）６を介して、出湯口７に接続されている。
【００１４】
貯湯タンク１の下部には、貯湯タンク１内へ上水（水道水）を取り入れるためのタンク入口部８が形成され、タンク入口部８には、上水の給水口（給水設備）９からのタンク給水経路１０が接続されている。
タンク給水経路１０の途中からは、混合部６へ上水を供給する混合部給水経路１１が分岐している。
【００１５】
混合部（ミキシングユニット）６は、貯湯タンク１から給湯経路４ａにより給湯経路開閉弁５を介して供給される湯水と、上水の給水口９から混合部給水経路１１を介して供給される上水とを混合し、要求温度の湯水を給湯経路４ｂを介して出湯口７へ供給する。
混合部６は、電動式の混合弁を主体として構成され、湯と水の混合割合を設定湯温に応じて調整可能である。
出湯口７は、蛇口の他、補助加熱用の加熱源を有する給湯器を含んで構成され、ユーザーの出湯操作（蛇口の操作や給湯器の運転要求）により出湯する。
【００１６】
給湯経路４の開閉弁５上流からは、貯湯タンク１内の湯水を排水可能な排水経路１２が分岐している。排水経路１２は、その経路上に排水経路開閉弁１３とオリフィス１４とを有し、排水口１５に接続されている。
【００１７】
タンク給水経路１０の途中からは、更にバイパス給水経路１６が分岐している。バイパス給水経路１６は、貯湯タンク１及び混合部６をバイパスして、給湯経路４の混合部６下流（４ｂ）に接続されており、上水を出湯口７へ供給可能である。バイパス給水経路１６には、バイパス開閉弁１７が介装されている。
【００１８】
ここにおいて、上水の給水口９から貯湯タンク１へのタンク給水経路１０上で、混合部給水経路１１への分岐部、及び、バイパス経路１６への分岐部より、下流側に、タンク給水流量センサ１８が介装される。タンク給水流量センサ１８は、貯湯タンク１への給水流量（貯湯タンク１からの湯水の取り出しに伴って貯湯タンク１へ給水される流量）を検出可能である。
【００１９】
制御装置２０は、上記貯湯式給湯システムの全体を制御するものであるが、ここでは排水処理に関連する制御についてのみ説明する。
排水処理関連制御のため、制御装置２０には、タンク給水流量センサ１８からの信号が入力されている。
そして、制御装置２０内には、給水流量積算部２１、排水要否判定部２２、排水制御部２３がソフトウエア的に構成されている。
【００２０】
給水流量積算部２１は、タンク給水流量センサ１８により検出した流量を積算する。
排水要否判定部２２は、貯湯タンク１内の湯水を排水する必要があるか否かを判定する。具体的には、排水要否判定部２２は、排水処理の実行時以外での給水流量積算部２１による給水流量積算値に基づいて、所定時間内における貯湯タンク１からの湯水取り出し量を算出し、これが所定値未満の場合に、排水が必要と判定する。
【００２１】
排水制御部２３は、排水要否判定部２２により排水が必要であると判定されたときに、貯湯タンク１内の湯水の排水処理として、給湯経路開閉弁５の閉操作による貯湯タンク１からの給湯の禁止、排水経路開閉弁１３の開操作による貯湯タンク１内の湯水の排水、及び、排水に伴う貯湯タンク１内への給水を行う。また同時に、バイパス開閉弁１７の開操作により、貯湯タンク１及び混合部６をバイパスして、上水を出湯口７へ供給可能とする。
【００２２】
排水制御部２３は、また、上記排水処理の終了タイミングの判定のため、排水終了判定部２４を備える。排水終了判定部２４は、排水処理の開始後の給水流量積算部２１による給水流量積算値がタンク容量相当の所定値以上になったときに、排水処理を終了させる。
【００２３】
尚、給湯経路開閉弁５は、通常運転時には開状態に保持され、排水処理時には閉状態に保持される。排水経路開閉弁１３は、通常運転時に閉じ、排水処理時に開く。バイパス開閉弁１７は、通常運転時に閉じ、排水処理時に出湯要求を受けて開く。
また、バイパス開閉弁１７についてはノーマルオープンタイプ、給湯経路開閉弁５についてはノーマルクローズタイプとすることで、停電時にはバイパス開閉弁１７が開き、給湯経路開閉弁５が閉じるので、上水の供給を可能にすると共に、貯湯タンク１からの高温の湯が意に反して供給されるのを確実に防止できる。
【００２４】
通常運転時は、排水経路開閉弁１３及びバイパス開閉弁１７は閉状態に保持され、給湯経路開閉弁５は開状態となっており、ユーザーの操作により、出湯口７が開くと、タンク給水経路１０による貯湯タンク１への給水圧により押出される形で、貯湯タンク１内の湯水がタンク出口部３より流出し、混合部６に供給される。そして、貯湯タンク１内の湯水の流出に伴って、タンク給水経路１０から貯湯タンク１内に、上水が補給される。従って、タンク給水流量センサ１８により、貯湯タンク１への給水流量、すなわち、貯湯タンク１からの給湯流量を検出可能である。
混合部６へは、貯湯タンク１内の湯水が供給されると共に、混合部給水経路１１により上水が供給される。従って、混合部６は、設定湯温に応じた混合比で、これらを混合し、要求温度の湯水を出湯口７へ供給する。
【００２５】
次に、貯湯タンク１内の湯水が長期間使用されなかった場合などの、貯湯タンク１内の湯水の入れ替え時の排水処理について、説明する。尚、図２は排水処理の制御例１を示すフローチャートであり、適宜参照する。
【００２６】
給水流量積算部２１はタンク給水流量センサ１８により検出される貯湯タンク１への給水流量Ｑを積算する（積算値ΣＱ＝ΣＱ＋Ｑ）。
【００２７】
排水要否判定部２２は、給水流量積算部２１による給水流量積算値に基づいて、所定時間（例えば７２時間）内における貯湯タンク１からの湯水取り出し量を算出し、これが所定値（例えばタンク容量相当の１００リットル）未満の場合に、排水が必要と判定する。
【００２８】
具体的には、１時間毎に、給水流量積算部２１の積算値ΣＱ（リットル／ｈ）の読み出しとリセットとを繰り返す。
また、７２個分の記憶部（最新の積算値Ｑｈ１から７２時間前の積算値Ｑｈ７２までの記憶部）を用意しておき、読み出し毎に、記憶部のデータを、Ｑｈ７２←Ｑｈ７１、Ｑｈ７１←Ｑｈ７０、・・・・・・、Ｑｈ３←Ｑｈ２、Ｑｈ２←Ｑｈ１のように、シフトする。また、最新に読み出した積算値（リットル／ｈ）をＱｈ１とする。
そして、読み出し後に、Ｑｈ１＋Ｑｈ２＋・・・＋Ｑｈ７１＋Ｑｈ７２、すなわち、現時点から過去７２時間における積算流量ＴＱｈ（リットル）を算出する。
【００２９】
そして、積算流量ＴＱｈ（リットル）とタンク容量相当の所定値（例えば１００リットル）とを比較し、ＴＱｈ＜所定値か否かを判定する（図２のＳ１）。
この判定でＹＥＳの場合、すなわち、ＴＱｈ＜所定値の場合は、過去７２時間以内に貯湯タンク１内の湯水が入れ替わらなかった場合であり、後述のように、貯湯タンク１内の湯水の排水処理（図２のＳ２〜Ｓ１０）を行うようにする。
この判定でＮＯの場合、すなわち、ＴＱｈ≧所定値の場合は、過去７２時間以内に貯湯タンク１内の湯水が入れ替わった場合であり、特別な処理は行わない。
【００３０】
次に排水要否判定部２２により排水が必要であると判定されたときの排水制御部２３による排水処理（図２のＳ２〜Ｓ１０）について説明する。
【００３１】
排水制御部２３は、先ず、給湯経路開閉弁５の閉操作により、貯湯タンク１から出湯口７への給湯を禁止する（図２のＳ２）。また、バイパス開閉弁１７の開操作により、上水の出湯口７への給水を可能とする（図２のＳ３）。
給湯経路開閉弁５の閉操作により、排水すべき貯湯タンク１内の湯水が使用されるのを防止できる。
バイパス開閉弁１７の開操作により、ユーザーから出湯要求があった場合に、バイパス給水経路１６を用いて、上水を供給でき、給湯器を用いて、必要な湯水を得ることができる。
【００３２】
排水制御部２３は、次に、排水経路開閉弁１３を開操作する（図２のＳ５）。
排水経路開閉弁１３が開くと、タンク給水経路１０による貯湯タンク１への給水圧により押出される形で、貯湯タンク１内の湯水がタンク出口部３より流出し、排水経路１２を通じて排水口１５より排水される。そして、貯湯タンク１内の湯水の流出に伴って、タンク給水経路１０から貯湯タンク１内に、上水が補給される。従って、タンク給水流量センサ１８により、貯湯タンク１への給水流量、すなわち、貯湯タンク１からの排水流量を検出可能である。
また、排水経路１２にオリフィス１４を設けることにより、排水時の配管内の圧力低下を抑制することができる。
【００３３】
排水経路開閉弁１３の開操作による排水開始時には、これと同時、又はこれに先立って、排水制御部２３内の排水終了判定部２４が、給水流量積算部２１をリセットする（ΣＱ＝０）（図２のＳ４）。これにより、排水開始と同時に給水流量（＝排水流量）の積算を０から開始させる。
【００３４】
排水終了判定部２３は、また、排水中、逐次、給水流量積算部２１の積算値ΣＱを読み込み、これをタンク容量相当の所定値（例えば１００リットル）と比較する（図２のＳ６）。
この結果、給水流量積算値ΣＱ＜所定値の場合は、排水処理と積算を継続する。
これに対し、給水流量積算値ΣＱ≧所定値の場合は、貯湯タンク１内にあった湯水の全量が排水されて、新しい上水と入れ替わったと判定し、排水処理を終了する。
【００３５】
排水処理を終了する際は、先ず、排水経路開閉弁１３を閉じて排水を終了させる（図２のＳ７）。これにより給水も停止される。このとき、給水流量積算部２１をリセットする（ΣＱ＝０）（図２のＳ８）。次回の排水要否判定（図２のＳ１）において算出する湯水取り出し量（積算流量ＴＱｈ）に排水処理時の排水量が加算されないようにするためである。
次に、バイパス開閉弁１７を閉操作し（図２のＳ９）、給湯経路開閉弁５を開操作する（図２のＳ１０）。
【００３６】
本実施形態によれば、タンク給水経路１０により貯湯タンク１へ給水される上水の流量を検出するタンク給水流量センサ１８と、これにより検出した流量を積算する給水流量積算部２１とを用い、排水制御部２３が、排水処理の開始後の給水流量積算部２１による給水流量積算値が所定値以上になったときに、排水処理を終了させる排水終了判定部２４を有する構成としたことにより、排水流量を検出するための流量センサ１８を水温が高くなる排水経路１２に設ける必要がなくなり、水温の低い給水経路１０への設置で済む。このため、流量計測の測定誤差を小さくして、測定精度向上を図ることができる。また、流量センサ１８の耐熱性等を考慮する必要がなくなる。
【００３７】
また、本実施形態によれば、タンク給水経路１０から分岐し、貯湯タンク１及び混合部６をバイパスして上水を出湯口７へ供給可能なバイパス給水経路１６を備えることで、排水中に、ユーザーから出湯要求があったときに、上水を供給できる。このときは、給湯器を用いて、お湯を得ることができるため、ユーザーの使用感を損ねることがない。
また、上記のようにバイパス給水経路１６を備える場合に、タンク給水流量センサ１８は、タンク給水経路１０上で、混合部給水経路１１への分岐部、及び、バイパス給水経路１６への分岐部より、下流側に配置されるので、貯湯タンク１内への給水流量を、バイパス流量等に影響されることなく、正確に検出することができる。
【００３８】
また、本実施形態によれば、排水要否判定部２２は、排水処理の実行時以外での給水流量積算部２１による給水流量積算値に基づいて、所定時間内における貯湯タンク１からの湯水取り出し量（給湯量）を算出し、これが所定値未満の場合に、排水が必要と判定する構成とすることにより、排水量だけでなく、給湯量の検出にも、タンク給水流量センサ１８を使用でき、共通化により部品コストを低減できる。
【００３９】
次に本発明の他の実施形態として排水処理の制御例２、３について説明する。
図３は排水制御の制御例２を示すフローチャートであり、図４は排水処理の制御例３のフローチャートである。
排水処理の制御例１（図２）では、排水処理は、排水が必要であるとの判定後、直ちに実施しているが、制御例２（図３）及び制御例３（図４）では、排水が必要であるとの判定後、ユーザーの再使用（給湯需要再開）をトリガーとして実施するようにしている。
【００４０】
このため、これらの制御例２、３では、図１に示されているように、出湯口７に備えられる出湯センサ３０を使用する。
出湯センサ３０は、出湯有無（出湯操作）を検知するものである。具体的には、出湯センサ３０は、少なくとも流れの有無を検知可能な簡易な流量センサにより構成され、ユーザーの出湯操作による出湯口７での流れを検知する。また、ユーザーの出湯操作により出湯口７に含まれる給湯器から送信された運転要求信号を出湯センサ３０で検出することで出湯有無を検知するものでもよい。
この出湯センサ３０の信号は排水制御部２３に入力される。
排水制御部２３は、排水要否判定部２２により排水が必要であると判定されたときに、出湯センサ３０が出湯を検知するのを待って、排水処理を開始する。
【００４１】
従って、図３のフローチャート（制御例２）では、Ｓ１〜Ｓ３の処理と、Ｓ４〜Ｓ１０の処理との間に、ＳＡの処理が追加されている。図４のフローチャート（制御例３）でも同様である。
Ｓ１で排水が必要であると判定された場合は、Ｓ２で給湯経路開閉弁５を閉じ、Ｓ３でバイパス開閉弁１７を開いた後、ＳＡで出湯センサ３０がユーザーの出湯操作を検知したか否かを判定し、ユーザーの出湯操作があるまで待機する。そして、ユーザーの出湯操作が検知されると、Ｓ４以降へ進み、排水処理を開始する。Ｓ４〜Ｓ１０の処理は図２のフローチャートと同じである。
【００４２】
上記のような制御により、過剰に湯水を排出するのを抑制することができる。
例えば、７２時間の積算流量の判定で貯湯タンク１内の湯水の入れ替えを行うシステムで、７日間留守にしていたと仮定すると、需要再開トリガーを用いない場合は、２回の入れ替えが発生する。これに対し、需要再開トリガーを用いる場合は、１回の入れ替えで済む。よって、不在期間中の排水量を減らすことができ、経済的となる。
【００４３】
制御例３（図４のフローチャート）の場合は、更に、排水の要否の判定にも出湯センサ３０を用いるようにしている。
従って、制御例３の場合、排水要否判定部２２は、出湯センサ３０が所定時間以上継続して出湯を検知しないときに、排水が必要であると判定する。
また、排水制御部２３は、排水要否判定部２２により排水が必要であると判定されたときに、出湯センサ３０が出湯を検知するのを待って、排水処理を開始する。
【００４４】
従って、図４のフローチャート（制御例３）では、図２及び図３のＳ１の処理に代えて、Ｓ１’の処理を実行するようにしている。
Ｓ１’では、出湯センサ３０が所定時間以上連続して出湯操作を検知していないか否かを判定し、検知していない場合に、排水が必要であると判定する。
言い換えれば、出湯センサ３０が出湯操作を連続で検知していない時間を計測し、この時間が所定時間以上の場合に排水が必要であると判定する。具体的には、排水要否判定部２２は、出湯センサ３０が連続して出湯操作を検知していない時間を計測する。排水制御部２３は、排水要否判定部２２により出湯操作が所定時間連続して行われていないと判定されたときに、貯湯タンク１内の湯水の排水処理として、給湯経路開閉弁５の閉操作による貯湯タンク１からの給湯の禁止、排水経路開閉弁１３の開操作による貯湯タンク１内の湯水の排水、及び、排水に伴う貯湯タンク１内への給水を行う。
このような構成とすることで、タンク給水流量センサ１８に頼らずに、排水処理の要否判定が可能になる。従って、排水要否判定部２２はタイマー機能により実現することができる。
【００４５】
Ｓ１’で排水が必要であると判定された場合は、Ｓ２で給湯経路開閉弁５を閉じ、Ｓ３でバイパス開閉弁１７を開いた後、ＳＡで出湯センサ３０がユーザーの出湯操作を検知したか否かを判定し、ユーザーの出湯操作があるまで待機する。そして、ユーザーの出湯操作が検知されると、Ｓ４以降へ進み、排水処理を開始する。Ｓ４以降の処理については、Ｓ８の処理が不要となる以外は、図２のフローチャートと同じである。
【００４６】
尚、図示の実施形態はあくまで本発明を例示するものであり、本発明は、説明した実施形態により直接的に示されるものに加え、特許請求の範囲内で当業者によりなされる各種の改良・変更を包含するものであることは言うまでもない。
【符号の説明】
【００４７】
１  貯湯タンク
２  熱交換器
３  タンク出口部
４（４ａ、４ｂ）  給湯経路
５  給湯経路開閉弁
６  混合部
７  出湯口
８  タンク入口部
９  上水の給水口
１０  タンク給水経路
１１  混合部給水経路
１２  排水経路
１３  排水経路開閉弁
１４  オリフィス
１５  排水口
１６  バイパス給水経路
１７  バイパス開閉弁
１８  タンク給水流量センサ
２０  制御装置
２１  流量積算部
２２  排水要否判定部
２３  排水制御部
２４  排水終了判定部
３０  出湯センサ
【図１】
2015114032.tif 000003
【図２】
2015114032.tif 000004
【図３】
2015114032.tif 000005
【図４】
2015114032.tif 000006